(57)【特許請求の範囲】
【請求項１】
螺旋状あるいは同心円状の情報トラックから形成され情報記録可能領域を複数層有する情報記録媒体であって、
前記情報トラックに周波数信号を有する案内溝が形成された記録可能領域を有し、
前記記録可能領域の第１の層領域においては、前記案内溝の第１の側にアドレス信号が記録されており、
前記記録可能領域の第２の層領域においては、アドレス信号が前記案内溝の前記第１の側の反対側に記録されていることを特徴とする情報記録媒体。
【請求項２】
螺旋状の情報トラックから形成され情報記録可能領域を複数層有する情報記録媒体であって、
前記情報トラックに周波数信号を有する案内溝が形成された記録可能領域を有し、
前記記録可能領域の第１の層領域においては、記録又は再生を行う際の前記記録トラックの進行方向に対して前記案内溝の外側にアドレス信号が記録され、
前記記録可能領域の第２の層領域においては、記録又は再生を行う際の前記記録トラックの進行方向に対して内側にアドレス信号が記録されていることを特徴とする情報記録媒体。
【請求項３】
螺旋状の情報トラックから形成され情報記録可能領域を複数層有する情報記録媒体であって、
前記情報トラックに周波数信号を有する案内溝が形成された記録可能領域を有し、
前記記録可能領域の第１の層領域においては、記録又は再生を行う際の前記記録トラックの進行方向に対して前記案内溝の第１の側にアドレス信号が記録され、
前記記録可能領域の第２の層領域においては、記録又は再生を行う際の前記記録トラックの進行方向に対して前記第１の側の反対側にアドレス信号が記録されていることを特徴とする情報記録媒体。
【請求項４】
前記アドレス信号は、著作権保護に関する情報によって、位置が切換わることを特徴とする請求項１乃至請求項３記載の情報記録媒体。
【請求項５】
請求項１乃至請求項３記載の情報記録媒体に記録された前記アドレス信号の性質に関する管理情報を前記情報記録媒体上の管理情報領域から再生する管理情報再生ステップと、
前記管理情報再生ステップの再生結果に基づいて、前記アドレス信号を検出する検出ステップと、
前記検出ステップで検出された前記アドレス信号に基づいて記録再生を行う記録再生ステップと
からなることを特徴とする情報記録媒体の記録再生方法。
【請求項６】
請求項１乃至請求項３記載の情報記録媒体の情報トラックに記録された情報を再生する情報記録媒体の再生方法であって、
前記情報記録媒体の前記情報トラックを連続的にトラッキングし、前記トラッキングに基づいて、前記情報トラックに記録された前記情報を連続的に再生することを特徴とする情報記録媒体の再生方法。
【請求項７】
請求項１乃至請求項３記載の情報記録媒体に記録された前記アドレス信号の性質に関する管理情報を前記情報記録媒体上の管理情報領域から再生する管理情報再生手段と、
前記管理情報再生手段によって再生された前記管理情報の再生結果に基づいて、前記アドレス信号を検出する検出手段と、
前記検出手段によって検出された前記アドレス信号に基づいて記録再生を行う記録再生手段と、
を有する情報記録媒体の記録再生装置。
【発明の詳細な説明】
【技術分野】
【０００１】
本発明は、記録再生領域（案内溝、グルーブ）を持ち、かつ記録再生領域のアドレス情報が、ランドの片側（案内溝間）にランドプリピット（以下「ＬＰＰ」と記す）として形成されている、例えば、ＤＶＤ−ＲＷやこの技術を発展させた記録層を多層有する情報記録媒体等の将来の記録再生可能な情報記録媒体、情報記録媒体の記録再生方法、情報記録媒体の再生方法、および情報記録媒体の記録再生装置に関する。
【背景技術】
【０００２】
一般に、ＤＶＤビデオと互換性をもって複数回記録可能なＤＶＤ−ＲＷ等の高密度記録型ディスクにおいては、著作権にて保護されているコンテンツとそうでないコンテンツとが識別されて、みだりにコンテンツの違法コピー（記録及びその再生）が行われないようにしなければならない。ＤＶＤビデオは、再生専用のディスクであり、コンテンツのコピー禁止の著作権情報がＣＳＳ（コンテンツスクランブルシステム）にて、ディスクの所定の領域（ＣＳＳキー等の著作権保護に関する情報領域）に記録されている。そして、このＣＳＳキー等の著作権保護に関する情報をＤＶＤビデオ再生装置が読み出し、このＣＳＳキー等の著作権保護に関する情報を用いてそのコンテンツを再生するという、違法コピー防止のためのシステムを採用している。
【先行技術文献】
【特許文献】
【０００３】
【特許文献１】特開平０９−２６５６３３号公報
【特許文献２】特開平１０−２０８３０５号公報
【発明の概要】
【発明が解決しようとする課題】
【０００４】
上述した高密度型ディスク記録装置でＤＶＤビデオのコンテンツを著作権保護に関する情報と共に記録した高密度型ディスクを、ＤＶＤビデオ再生装置で再生した場合には、著作権保護に関する情報が読み出せる可能性があるので、コピー禁止のＤＶＤビデオのコンテンツが再生でき、この結果、コピー禁止のＤＶＤビデオの著作権を十分できないおそれがあるという問題点を有していた。
また、記録領域がゾーンに分割されているような場合は、各ゾーンでアドレス信号の違いが明確にすることが要求されており、記録層が多層有するディスクにおいては、たとえば螺旋溝の進行方向が異なるような場合に、各層でアドレスの違いが明確にすることが要求されていた。さらに、著作権保護に関する情報を記録再生する場合に、著作権保護を行うためにアドレスの再生の可否が可能になるような方法が要求されていた。
【課題を解決するための手段】
【０００５】
本発明は上述の問題点を解決するために、（１）螺旋状あるいは同心円状の情報トラックから形成され情報記録可能領域を複数層有する情報記録媒体であって、前記情報トラックに周波数信号を有する案内溝が形成された記録可能領域を有し、前記記録可能領域の第１の層領域においては、前記案内溝の第１の側にアドレス信号が記録されており、前記記録可能領域の第２の層領域においては、アドレス信号が前記案内溝の前記第１の側の反対側に記録されていることを特徴とする情報記録媒体を提供する。
また、本発明は上述の問題点を解決するために、（２）螺旋状の情報トラックから形成され情報記録可能領域を複数層有する情報記録媒体であって、前記情報トラックに周波数信号を有する案内溝が形成された記録可能領域を有し、前記記録可能領域の第１の層領域においては、記録又は再生を行う際の前記記録トラックの進行方向に対して前記案内溝の外側にアドレス信号が記録され、前記記録可能領域の第２の層領域においては、記録又は再生を行う際の前記記録トラックの進行方向に対して内側にアドレス信号が記録されていることを特徴とする情報記録媒体を提供する。
また、本発明は上述の問題点を解決するために、（３）螺旋状の情報トラックから形成され情報記録可能領域を複数層有する情報記録媒体であって、前記情報トラックに周波数信号を有する案内溝が形成された記録可能領域を有し、前記記録可能領域の第１の層領域においては、記録又は再生を行う際の前記記録トラックの進行方向に対して前記案内溝の第１の側にアドレス信号が記録され、前記記録可能領域の第２の層領域においては、記録又は再生を行う際の前記記録トラックの進行方向に対して前記第１の側の反対側にアドレス信号が記録されていることを特徴とする情報記録媒体を提供する。
また、（４）上記の（１）〜（３）の情報記録媒体では、前記アドレス信号は、著作権保護に関する情報によって、位置が切換わることを特徴としてもよい。
また、本発明は上述の問題点を解決するために、（５）上記の（１）乃至（３）の情報記録媒体に記録された前記アドレス信号の性質に関する管理情報を前記情報記録媒体上の管理情報領域から再生する管理情報再生ステップと、前記管理情報再生ステップの再生結果に基づいて、前記アドレス信号を検出する検出ステップと、前記検出ステップで検出された前記アドレス信号に基づいて記録再生を行う記録再生ステップとからなることを特徴とする情報記録媒体の記録再生方法を提供する。
また、本発明は上述の問題点を解決するために、（６）上記の（１）乃至（３）の情報記録媒体の情報トラックに記録された情報を再生する情報記録媒体の再生方法であって、前記情報記録媒体の前記情報トラックを連続的にトラッキングし、前記トラッキングに基づいて、前記情報トラックに記録された前記情報を連続的に再生することを特徴とする情報記録媒体の再生方法を提供する。
さらに、本発明は上述の問題点を解決するために、（７）上記の（１）乃至（３）の情報記録媒体に記録された前記アドレス信号の性質に関する管理情報を前記情報記録媒体上の管理情報領域から再生する管理情報再生手段と、前記管理情報再生手段によって再生された前記管理情報の再生結果に基づいて、前記アドレス信号を検出する検出手段と、前記検出手段によって検出された前記アドレス信号に基づいて記録再生を行う記録再生手段と、を有する情報記録媒体の記録再生装置を提供する。
【発明の効果】
【０００６】
本発明によれば、記録領域であるグルーブに、記録領域の周波数信号として用いられるウオブル信号が片側に存在する場合や、アドレス信号としてグルーブの片側に片寄って存在する場合に、不連続領域が存在する場合、複数層の場合、領域が分割されている場合、著作権情報に関連する領域がある場合等で、周波数信号やアドレス信号の方向を変更することによって、記録領域を有効に用いることができ、層や領域を的確に判断する事ができ、また、この管理が例えば反転回路１つで可能であるという効果を持っている。
【図面の簡単な説明】
【０００７】
【図１】本発明の第１実施例の情報記録媒体の実施例を説明するための図である。
【図２】本発明の第２実施例の情報記録媒体の実施例を説明するための図である。
【図３】本発明の第３実施例の情報記録媒体の実施例を説明するための図である。
【図４】情報記録媒体のカッテイング状態の一例を説明するための図である。
【図５】本発明の情報記録媒体のリードイン領域とデータ領域とを説明するための図である。
【図６】情報記録媒体のカッテイング状態の他の例を説明するための図である。
【図７】本発明におけるウオブルとＬＰＰ信号の波形の位置関係を説明するための図である。
【発明を実施するための形態】
【０００８】
ＤＶＤ−ＲＷのように記録可能なディスクにおいては、普通の状態ではＤＶＤビデオの著作権保護に関する情報が記録されてしまうディスクの所定の領域（著作権保護に関する情報領域）に、エンボスプリピットで著作権保護情報に関する情報を記録して、後から著作権保護情報がオーバーライトできないように加工しておく。これによって、高密度型ディスク記録装置でＤＶＤビデオのコンテンツを著作権保護情報に対応していないコンテンツをＤＶＤ−ＲＷに記録し、これをＤＶＤビデオ再生装置で再生した場合には、コンテンツに対応した著作権保護情報が読み出せないのでＤＶＤビデオのコンテンツは再生できない。この結果、コピー禁止のＤＶＤビデオの著作権保護を図ることができる。
記録型光ディスクには、記録用レーザーの光量を特定する条件、ディスクの種類、製造メーカー名などの既記録情報、または記録可能な案内溝の特定位置が探し出せるようなアドレス情報、さらにディスクの回転数制御に用いる周波数情報がそれぞれ特定位置に予め記録されている。
【０００９】
そして、この記録型光ディスクには購入してからすぐに使用（記録）開始できる工夫がされている。これは次の（１）〜（３）のように、前記した既記録情報、アドレス情報がディスクの特定位置に記録されていることにより行うことができる。即ち、
（１）  前記した既記録情報はディスク原盤のカッティング時にエンボスピットとして記録しておき、このディスク原盤で作成した金属母型を使用してディスク基板を成形することにより、前記した記録型光ディスクのディスク基板の特定位置（ディスクのリードイン領域など）に記録する。また、前記した既記録情報をディスク原盤のカッティング時に記録しない場合には、前記した記録型光ディスクが生産された後の出荷時に、前記した既記録情報を記録する記録器を用いて、ピットやマークとして前記した特定位置に追記録される。
（２）  一方、前記したアドレス情報は、案内溝の片側の特定部分の幅を広くして、その部分にＬＰＰとして記録される。
（３）  さらに、前記した周波数情報は、案内溝をＬＰＰと同期して半径方向に微少に揺らしたウォブルの周波数として記録される。
【００１０】
さて、前記した既記録情報、アドレス情報、周波数情報、案内溝をディスク基板の特定位置に記録することは、具体的には次のようにして行われる。
【００１１】
まず、平滑に研磨されたガラス盤上に案内溝の深さに相当する厚さに光感光レジストを均一に塗布する。前記した記録型光ディスクがＤＶＤ−ＲＷディスクであれば、光感光レジストはガラス盤上に約３０ｎｍ程度の厚さに均一に塗布される。
【００１２】
次に、こうして光感光レジストが均一に塗布されたガラス盤（レジスト盤）は、カッティング装置に運ばれる。カッティング装置には、光源から出射するカッティング用レーザービームを断続光にしたり、あるいは半径方向に（左右に）微小揺らせるレーザービーム制御装置が搭載されている。レジスト盤は、カッティング装置の所定位置に装着された後、断続光あるいは半径方向に微小振動したカッティング用レーザービームをレジスト盤上に照射することにより、前記した既記録情報、アドレス情報、周波数情報がそれぞれの特定位置に記録される。
【００１３】
ここで、カッティング用レーザービームを２本用い、そのうちの１本のカッティング用レーザービームを連続光として案内溝を形成し、もう１本を断続させてＬＰＰを形成させる。また、前記した既記録情報は、案内溝を形成するカッティング用レーザービームを断続光にすることにより、ピットとして、特定位置（リードイン領域など）に記録される。
【００１４】
こうしてレジスト盤のカッティングの後、レジスト盤は現像され、形状変化として形状情報（前記した既記録情報、アドレス情報、周波数情報、案内溝）が析出する。そして現像されたレジスト盤上に導電性薄膜を被覆し、電気メッキを用いてこのレジスト盤上の前記した形状情報がメッキ盤上に転写される。メッキ盤を所望の大きさに加工して金属母型として、金属母型を装着した射出成形機を用いて、プラスチック基板上に形状変化として前記した形状情報が転写されることにより、前記した記録型光ディスクのディスク基板が得られる。
【００１５】
さて、ディスク基板上の、前記した形状変化が転写されているところは情報面と呼ばれ、この情報面上に記録をするための機能膜が成膜され、その後の種々の後加工を通り記録型光ディスクが作成される。ところで、前記した金属母型を用いて射出成形して得たディスク基板は、ディスク基板全体に亘り案内溝とピットとが同じ光学的深さ（以下単に深さと記すこともある）を持っている。
【００１６】
前述したように、記録型光ディスクの案内溝は、記録時のトラッキング案内に必要な深さで作成されているために、再生時に記録された記録マークからの信号を最大限に取り出そうとすると、記録溝のランドとの深さ差から生じる反射光の位相差による反射率低下が問題となる。繰り返し書換えが可能なＤＶＤ−ＲＡＭ
ディスクで採用されているようなランドグルーブ記録では、ランド（案内溝間）
、グルーブ（案内溝）間のトラック間クロストーク低減のため、許される範囲で案内溝は深くされているが、一般的に案内溝の深さは、案内溝からの案内信号が最も効率よく取り出される深さ（再生波長の１／８波長）に比べ、浅く作成されているのが一般的である。そしてプッシュプル方式により案内溝へのトラッキング動作が行われている。
【００１７】
一方、再生専用ディスクであるＤＶＤ−ＲＯＭディスクは、できるだけ大きな再生信号が得られるように、ピットの深さはレーザー光による回折が効率よく行われる深さ付近に設定されている（再生波長の１／４波長付近）。このため、トラッキング動作はピット列に対するプッシュプル方式ではトラッキングに必要な信号が充分得られないので、位相差方式でトラッキングが行われる。
【００１８】
このように、記録型光ディスクであるＤＶＤ−ＲＡＭディスクでは効率良く記録再生動作ができるような案内溝の深さが設定されており、また再生専用ディスクであるＤＶＤ−ＲＯＭディスクでは再生に都合が良いピットの深さが設定されている。
【００１９】
さて、深さが異なる案内溝とピットとを一枚の記録型光ディスクのディスク基板上に設ける手法としては、次の２つの方法（１），（２）が考えられる。
【００２０】
（１）まず一つ目の方法としては、図４に示すように前記レジスト盤をカッテングする際に、ピット及び案内溝を形成するためのカッティング用レーザービーム（レーザーＡ）の出力を変化させて、一方の出力でピットの再生に都合の良い深さを形成し、他方の出力で案内溝の記録に都合の良い浅めの溝とを形成する方法である。しかしこのカッティング方法では、浅い方の案内溝の底面はレジスト下層のガラス原盤まで届かないため、案内溝の底面はガラス原盤ではなくレーザーＡの出力分布により決定されてしまう。このため、案内溝の底面の形状は平坦とはならずロート状となる。実際にはレーザーＡの出力分布はビーム中心を最大として不均一となるため案内溝の底面の均質性が取りにくく、記録再生の信号特性の大幅な劣化が生じる。
なお、図４中、図６中、および以降の説明における「ＬＰＰ」はランドに形成された「ランドプリピット」を示し、レーザーＢはランドプリピット形成用のレーザー光出力である。
【００２１】
（２）次に二つ目の方法としては、図６に示すように前記レジスト盤をカッテングする際に、ピット及び案内溝を形成するためのカッティング用レーザービー
ム（レーザーＡ）と、ランドプリピットを形成するためのもう一つのカッティング用レーザービーム（レーザーＢ）を用いる方法である。一定出力のレーザーＡを用いて同じ深さのピット及び案内溝を形成する（ピット及び案内溝の各底面はレジスト下層のガラス原盤まで届く）。またレーザーＢを用いて案内溝の両端に隣接するレジストを任意の高さまで露光して、案内溝の相対的深さを調整する方法である。この方法であれば案内溝の底面はガラス原盤の表面となるため、案内溝の底面の形状は平坦となるから、従来の案内溝だけで形成されたディスクと同様の記録再生信号特性を得ることができる。
【００２２】
しかしこの二つ目の方法では、ピット列から案内溝、案内溝からピット列に切り替わる境目の部分を再生していると、２つのピット列間にあるレジストの高さと、ピット列と案内溝間（又は案内溝とピット列間）にある、レジストの高さとが異なるため、ピット列−ピット列から案内溝、案内溝からピット列−ピット列に切り替わる部分のピット信号およびランドプリピット信号の欠損や振幅の違いが生じる。
【００２３】
このように、１枚の記録型光ディスクの中に、再生に都合がよい深さのピット列と、記録再生に都合がよい深さの案内溝とが共に存在する場合、案内溝の記録再生特性を十分なものとするには、案内溝の底面にガラス原盤の表面がくるようにしてその底面を平坦にするよう設計することが望ましい。そして、ピット列から案内溝、案内溝からピット列に切り替わる部分を再生していると、その切換わり部分でピット信号の欠落や再生のトラッキングが乱れる記録装置が存在することが分かった。この原因は、記録装置が案内溝からピット列となる切り替わりの部分で、ピット列の信号が隣接する案内溝のレジスト厚み調節による影響を受け正しく信号を取り出せなくなり、ピット列と案内溝が隣接するピット列全ての信号情報が欠落することであった。このようにトラッキングが乱れる記録装置は、ピット列から案内溝、案内溝からピット列となる切換わりの部分で、トラッキング制御信号が異常値となりトラッキングが外れ、数１０トラック以上も再生トラック位置が移動してしまい、希望する場所からの記録再生は不可能になる場合もあった。
【００２４】
このように、一枚の記録型光ディスクであって、案内溝における記録再生で十分な再生信号が得られ、かつ書換えができない情報をピット列で記録できるようにするためには、案内溝の溝深さとピット列のピット深さとがそれぞれ最適な深さである必要があり、かつ案内溝の底面とピットの底面とが共にガラス原盤の表面にあって平坦で、共に記録再生特性に優れ、さらにピットと案内溝の切り替わり部分におけるランドプリピット信号の欠落の乱れが無いディスクが求められていた。また、効率の良いアドレス埋め込み方法が求められていた。
【００２５】
そこで、本発明は、特にディスク基板上に形成した案内溝と、案内溝の片側（例えば、第１の側）に記録されている周波数信号及び又はアドレス信号を、領域によって、周波数信号あるいはアドレス信号を記録する案内溝の側を変更する（例えば、第１の側以外の側、あるいは第２の側に変更する）ことによって、高密度な記録再生を行うことができ、著作権の保護を確実にでき、ゾーンや層の位置を確実に検出する事ができる。
【００２６】
以下、本発明の情報記録媒体について、図面を参照して詳細に説明する。図１は本発明の情報記録媒体の第１実施例を説明するための拡大断面図、図２は本発明の情報記録媒体の第２実施例を説明するための拡大断面図、図３は本発明の情報記録媒体の第３実施例を説明するための拡大断面図、図４は情報記録媒体のカッテイング状態の一例を説明するための図、図５は本発明の情報記録媒体のリードイン領域とデータ領域を示す図、図６は情報記録媒体のカッテイング状態の他の例を説明するための図である。
【００２７】
以下の説明においては、本発明の情報記録媒体の実施形態として、ＤＶＤ−ＲＷの物理フォーマットを基に説明するが、他の記録可能なＣＤ−ＲＷ、ＤＶＤ＋ＲＷ等や、これを複数の記録層に記録可能にしたものや次世代ＤＶＤ等の高密度型光ディスクについても本発明を適用できることは言うまでもない。
【００２８】
つぎに、ディスクのフォーマットの実施の形態について説明する。
図１（ａ）はタイプ１のディスク（情報記録媒体）を示しており、図１（ｂ）はタイプ２のディスク（情報記録媒体）を示しており、図１を参照して２種類のディスクについて説明する。
【００２９】
図１（ａ）にタイプ１と記したディスク（情報記録媒体）はリードイン情報が記録されている記録可能領域（トラック番号１およびトラック番号２のトラック）、再生専用領域（トラック番号３からトラック番号７のトラック）、記録可能領域（トラック番号８以降のトラック）を有しており、トラック番号１、およびトラック番号２のそれぞれのトラックに隣接する第１の側のランドにはランドプリピットＬＰＰが記録されており、トラック番号４以降のそれぞれのトラックに隣接する第１の側とは反対側の側である第２の側のランドにはランドプリピットＬＰＰが記録されている。
【００３０】
また、図１（ｂ）にタイプ２と記したディスク（情報記録媒体）はリードイン情報が記録されている記録可能領域（トラック番号１のトラック）、中間領域（トラック番号２のトラック）、再生専用領域（トラック番号３およびトラック番号４のトラック）、中間領域（トラック番号５のトラック）、再生専用領域（トラック番号６およびトラック番号７のトラック）、記録可能領域（トラック番号８以降のトラック）を有しており、トラック番号５以降のそれぞれのトラックに隣接する第１の側のランドにはランドプリピットＬＰＰが記録されており、トラック番号１、トラック番号２のそれぞれのトラックに隣接する第１の側とは反対側の側である第２の側のランドにはランドプリピットＬＰＰが記録されている。なお、タイプ２の中間領域とは再生専用領域のトラックから記録可能領域の間に深さが変化するピットを持つ領域である。
【００３１】
図５は本発明の実施例におけるディスクのリードイン領域（内周方向）からデータ領域（外周方向）までの構造を示している。この領域は、ディスクの製造方法が異なり、ｔｙｐｅ１（以降、ｔｙｐｅ１とタイプ１とは同じものとして説明する）と、ｔｙｐｅ２（以降、ｔｙｐｅ２とタイプ２とは同じものとして説明する）との２つの種類をフォーマットとして共存することができるように構成されている。このフォーマットはタイプ１では信号性能（記録再生特性）はあまり良くないが、製造が比較的容易に可能であり、タイプ２では信号性能（記録再生特性）は好ましいが中間領域での信号の性能に制約が必要になる２つの方式を共存することにより、製造方法に自由度を与えることができる。
【００３２】
ｔｙｐｅ（タイプ）１のリードイン領域は、
（１−１）記録再生可能領域である内周から、約λ／１２程度の深さのグルーブ領域のサイドのランド領域にアドレス等の情報を持ったランドプリピットＬＰＰを持つ記録再生可能な記録再生可能領域でありディファレンシャルプッシュプルのトラッキングエラー信号が得られるＩｎｉｔｉａｌ  ｚｏｎｅ、ｓｙｓｔｅｍ  ｒｅｓｅｒｖｅｄ  ｚｏｎｅ、ｂｕｆｆｅｒ  ｚｏｎｅ０、ＲＷ−ｐｈｙｓｉｃａｌ  ｆｏｒｍａｔ  ｉｎｆｏｒｍａｔｉｏｎ  ｚｏｎｅ、Ｒｅｆｅｒｅｎｃｅ  ｃｏｄｅ  ｚｏｎｅ、ｂｕｆｆｅｒ  ｚｏｎｅ１、ｌｉｎｋｉｎｇ  ｌｏｓｓ  ａｒｅａ、
（１−２）約λ／４程度の深さから成りランドプリピットＬＰＰを持たないプリピットで構成されるＤＰＤトラッキングエラー信号が得られ記録信号が読み出し可能な再生専用領域であり著作権保護に関する情報及びリードイン情報を持つｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）、
（１−３）約λ／１２程度の深さから成りランドプリピットＬＰＰを持つプリピットで構成されるＤＰＤトラッキングエラー信号が得られ記録信号が読み出し出来ない再生専用領域であるｕｎｒｅａｄａｂｌｅ  ｅｍｂｏｓｓ  ｚｏｎｅ  ｗｉｔｈ  ＬＰＰ、（１−４）グルーブ領域の外周側サイドのランド領域にアドレス等の情報を持ったランドプリピットＬＰＰを持つ記録再生可能な記録再生可能領域でありディファレンシャルプッシュプルのトラッキングエラー信号が得られるｂｕｆｆｅｒ  ｚｏｎｅ２、以降に続くユーザーのコンテンツを記録するｄａｔａ  ａｒｅａの順に外周方向へ分割されている。ここで、各領域の右上に示してあるのがそれぞれの領域の開始アドレスである。ｔｙｐｅ（タイプ）１の記録時の動作は図５の左側にＷｒｉｔｅ  Ｍｏｄｅ示し、再生時の動作は図５の左側にＲｅａｄ  Ｍｏｄｅで示してある。ｒｅｃｏｒｄｉｎｇは記録動作、ｒｅａｄｉｎｇは再生動作、ｓｅｅｋはシーク動作、もしくはトラックを読み飛ばす動作を示し、ｒｅａｄ  ｇｅｎ  ｗｃｌｋはウォブル信号及びＬＰＰアドレスを再生して記録クロック信号および記録タイミング信号を生成する動作を示している。
【００３３】
次に、ｔｙｐｅ（タイプ）２のリードイン領域は、
（２−１）記録再生可能領域である内周から約λ／１２程度の深さのグルーブ領域のランド領域にアドレス等の情報を持ったランドプリピットＬＰＰを持つである記録再生可能な記録再生可能領域でありディファレンシャルプッシュプルのトラッキングエラー信号が得られるＩｎｉｔｉａｌ  ｚｏｎｅ、ｓｙｓｔｅｍ  ｒｅｓｅｒｖｅｄ  ｚｏｎｅ、ｂｕｆｆｅｒ  ｚｏｎｅ０、ＲＷ−ｐｈｙｓｉｃａｌ  ｆｏｒｍａｔ  ｉｎｆｏｒｍａｔｉｏｎ  ｚｏｎｅ、ｂｕｆｆｅｒ  ｚｏｎｅ  １、
（２−２）タイプ１またはタイプ２かを判断するコードが記録されているｂｏｕｎｄａｒｙ  ｆｌａｇ  ｚｏｎｅ１（無くても良い）、前記記載の中間領域であるｂｏｕｎｄａｒｙ  ｅｍｂｏｓｓ  ｚｏｎｅ１（約λ／１２程度の深さから、約λ／４程度の深さになるように形成されたピット領域でありディファレンシャルプッシュプルのトラッキングエラー信号もＤＰＤトラッキングエラー信号も得
られる）、
（２−３）約λ／４程度の深さから成りランドプリピットＬＰＰを持たないプリピットで構成されるＤＰＤトラッキングエラー信号が得られ記録信号が読み出し可能な再生専用領域であり著作権保護に関する情報及びリードイン情報を持つｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）、
（２−４）ｔｙｐｅ（タイプ）１またはｔｙｐｅ（タイプ）２かを判断するコードが記録されているｂｏｕｎｄａｒｙ  ｆｌａｇ  ｚｏｎｅ２（無くても良い）、前記記載の中間領域であるｂｏｕｎｄａｒｙ  ｅｍｂｏｓｓ  ｚｏｎｅ２（約λ／１２程度の深さから、約λ／４程度の深さになるように形成されたピット領域でありディファレンシャルプッシュプルのトラッキングエラー信号もＤＰＤトラッキングエラー信号も得られる）、
（２−５）約λ／１２程度の深さから成りランドプリピットＬＰＰを持つプリピットで構成されるＤＰＤトラッキングエラー信号が得られ記録信号が読み出し出来ない再生専用領域であるＵｎｒｅａｄａｂｌｅ  ｅｍｂｏｓｓ  ｚｏｎｅ  ｗｉｔｈ  ＬＰＰ、
（２−６）約λ／１２程度の深さのグルーブ領域の外周サイドのランド領域にアドレス等の情報を持ったランドプリピットＬＰＰを持つである記録再生可能な記録再生可能領域でありプッシュプルのトラッキングエラー信号が得られるｂｕｆｆｅｒ  ｚｏｎｅ２、ユーザーのコンテンツを記録するｄａｔａ  ａｒｅａの順に外周方向へ分割されている。ここで、各領域の右上に示してあるのがそれぞれの領域の開始アドレスである。ｔｙｐｅ（タイプ）２の記録時の動作は図５の右側にＷｒｉｔｅ  Ｍｏｄｅ示し、再生時の動作は図５の右側にＲｅａｄ  Ｍｏｄｅで示してある。ｒｅｃｏｒｄｉｎｇは記録動作、ｒｅａｄｉｎｇは再生動作、ｓｅｅｋはシーク動作、もしくはトラックを読み飛ばす動作を示し、ｒｅａｄ  ｇｅｎ  ｗｃｌｋはウォブル信号及びＬＰＰアドレスを再生して記録クロック信号および記録タイミング信号を生成する動作を示している。
【００３４】
ｂｏｕｎｄａｒｙ  ｆｌａｇ  ｚｏｎｅ１及びｂｏｕｎｄａｒｙ  ｆｌａｇ  ｚｏｎｅ２は、この位置に無くても良いが、ある場合にはｂｏｕｎｄａｒｙ  ｚｏｎｅ１及びｂｏｕｎｄａｒｙ  ｆｌａｇ  ｚｏｎｅ２がディスクのｔｙｐｅ（タイプ）１またはｔｙｐｅ（タイプ）２によって存在の有無が異なるので、上述したリードイン情報を持つｃｏｎｔｒｏｌ  ｄａｔａ  ｚｏｎｅ、あるいは記録可能な領域内のＬＰＰのアドレス情報とともに予め埋め込み記録しておき、記録再生すべきディスクのｔｙｐｅ（タイプ）１またはｔｙｐｅ（タイプ）２が判定できるようにしておくことが望ましい。
【００３５】
次に、ｔｙｐｅ（タイプ）１とｔｙｐｅ（タイプ）２のディスクにおいて、共通にこの領域を再生する場合と、記録する場合を図１を参照しながら説明する。
図１は図５のフォーマットをトラック位置としては表現を簡略化し、記録再生のための物理的な内容を中心に説明するための図である。
【００３６】
図１はトラック番号１からトラック番号９の方向に外周方向に向かい図５との対応は、タイプ１のトラック番号１、トラック番号２のそれぞれのトラックが、約λ／１２程度の深さの両側が所定の周波数でウオブルされたグルーブ領域の外周側（第１の側）のサイドのランド領域に所定の周波数でウオブルした信号に同期してアドレス等の情報を持ったランドプリピットＬＰＰを持つ記録再生可能な情報記録再生可能領域（例えば、情報記録再生可能領域の第１の領域）であり、ディファレンシャルプッシュプルのトラッキングエラー信号が得られるＩｎｉｔｉａｌ  ｚｏｎｅ、ｓｙｓｔｅｍ  ｒｅｓｅｒｖｅｄ  ｚｏｎｅ、ｂｕｆｆｅｒ  ｚｏｎｅ０、ＲＷ−ｐｈｙｓｉｃａｌ  ｆｏｒｍａｔ  ｉｎｆｏｒｍａｔｉｏｎ  ｚｏｎｅ、Ｒｅｆｅｒｅｎｃｅ  ｃｏｄｅ  ｚｏｎｅ、ｂｕｆｆｅｒ  ｚｏｎｅ１、ｌｉｎｋｉｎｇ  ｌｏｓｓ  ａｒｅａ等である。
トラック番号３、トラック番号４のそれぞれのトラックが、約λ／４程度の深さから成りランドプリピットＬＰＰを持たないプリピットで構成されるＤＰＤトラッキングエラー信号が得られ記録信号が読み出し可能な再生専用領域Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）である。
トラック番号５、トラック番号６、トラック番号７のそれぞれのトラックが約λ／１２程度の深さから成る所定の周波数でウオブルされたグルーブ領域の内周側（第１の側とは反対側の、第２の側）のサイドのランド領域に前記の所定の周波数でウオブルした信号に同期してアドレス等の情報を持ったランドプリピットＬＰＰを持つプリピットで構成され、ＤＰＤトラッキングエラー信号が得られ記録信号が読み出し出来ない再生専用領域であるｕｎｒｅａｄａｂｌｅ  ｅｍｂｏｓｓ  ｚｏｎｅ  ｗｉｔｈ  ＬＰＰである。
トラック番号８、トラック番号９およびこれ以降のトラック番号のトラックがグルーブ領域の外周側（第１の側）のサイドのランド領域にアドレス等の情報を持ったランドプリピットＬＰＰを持つディファレンシャルプッシュプルのトラッキングエラー信号が得られる記録再生可能な情報記録再生可能領域（Ｄａｔａ  ａｒｅａ、例えば、情報記録再生可能領域の第１の領域以外の領域である第２の領域）である。
【００３７】
次に、タイプ２のトラック番号１のトラックが、リードイン領域は記録再生可能領域である内周から、約λ／１２程度の深さのグルーブ領域の内周側（第１側とは反対の側、第２の側）のサイドのランド領域にアドレス等の情報を持ったランドプリピットＬＰＰを持つである記録再生可能な情報記録再生可能領域（例えば、情報記録再生可能領域の第１の領域）でありディファレンシャルプッシュプルのトラッキングエラー信号が得られるＩｎｉｔｉａｌ  ｚｏｎｅ、ｓｙｓｔｅｍ  ｒｅｓｅｒｖｅｄ  ｚｏｎｅ、ｂｕｆｆｅｒ  ｚｏｎｅ０、ＲＷ−ｐｈｙｓｉｃａｌ  ｆｏｒｍａｔ  ｉｎｆｏｅｍａｔｉｏｎ  ｚｏｎｅ、Ｒｅｆｅｒｅｎｃｅ  ｃｏｄｅ  ｚｏｎｅ等である。
トラック番号２のトラックが中間領域であり、内周側（第１の側とは反対の側、第２の側）のランドにランドプリピットＬＰＰがある。
トラック番号３、トラック番号４のそれぞれのトラックが約λ／４程度の深さから成りランドプリピットＬＰＰを持たないプリピットで構成されるＤＰＤトラッキングエラー信号が得られ記録信号が読み出し可能な再生専用領域Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）である。
トラック番号５のトラックが中間領域であり、外周側（第１の側）のランドにランドプリピットＬＰＰがある。
トラック番号６、トラック番号７のそれぞれのトラックが、約λ／１２程度の深さから成りグルーブ領域の外周側（第１の側）のランドにランドプリピットＬＰＰを持つプリピットで構成されるＤＰＤトラッキングエラー信号が得られ記録信号が読み出し出来ない再生専用領域であるｕｎｒｅａｄａｂｌｅ  ｅｍｂｏｓｓ  ｚｏｎｅ  ｗｉｔｈ  ＬＰＰである。
トラック番号８、トラック番号９及びこれ以降のトラック番号のそれぞれのトラックがグルーブ領域の外周側（第１の側）のサイドのランド領域にアドレス等の情報を持ったランドプリピットＬＰＰを持つディファレンシャルプッシュプルのトラッキングエラー信号が得られる記録再生可能な情報記録再生可能領域（Ｄａｔａ  ａｒｅａ、例えば、情報記録再生可能領域の第１の領域以外の領域である第２の領域）である。
【００３８】
ここで、トラック番号２のトラックについて説明する。トラック番号２のトラックにおいて、トラック番号５からトラック番号９のトラックの外周側（第１の側）にＬＰＰがある場合に、同様に外周側（第１の側）にＬＰＰを配置すると、トラック番号２とトラック番号３と間のトラックの間の深さの深い位置にＬＰＰがくることになり、仮に情報記録媒体としてＬＰＰを形成しても再生した場合にＬＰＰ信号の振幅レベルや、オフセットレベルが変動してしまいトラック番号２のトラックにおいてはＬＰＰが正確に検出できないという問題が発生する。そのため、ここでは、ＬＰＰを内周側（第１の側とは反対の側、第２の側）に配置して通常のＬＰＰの高さと同じＬＰＰを埋め込むことによって、このトラック番号２のトラックでのＬＰＰ検出を容易にしている。
【００３９】
このような配置で、所定の周波数でウオブルしたウオブル信号に同期してグルーブの内周側（第２の側）と外周側（第１の側）のランド部にＬＰＰを配置する場合に、ウオブル信号とＬＰＰ信号との生成方法はピックアップからの検出信号のプッシュプル信号から生成する。その波形は図７のようになる。
【００４０】
図７は図１に示したタイプ（ｔｙｐｅ）１のトラック番号８のトラックを再生している波形と、図１に示したタイプ（ｔｙｐｅ２）２のトラック番号８のトラックを再生している波形を示している。タイプ（ｔｙｐｅ）１とタイプ（ｔｙｐｅ）２とも同じ回路構成を使用した場合の再生波形である。再生波形はウオブル信号とＬＰＰとをプッシュプル信号から生成するので、プッシュプル信号の中に両サイドのＬＰＰ信号が含まれる。ここで実際に正しいＬＰＰ信号はウオブル信号に対して同期しているのでウオブル信号に対して同期検波することによって正しいＬＰＰ信号を得ることが出来る。ここで、グルーブに対して、タイプ（ｔｙｐｅ）１では上側に出て、タイプ（ｔｙｐｅ）２では下側に出るので、必要な領域になった時点で、このウオブル検出回路の極性またはＬＰＰ検出回路のコンパレートする閾値を変更することによって、正規なＬＰＰ信号を得ることができる。
【００４１】
この方法では複数のＬＰＰ信号をデコードしてアドレス情報を得て、この情報から現在のゾーンや層（記録層）の情報を得る方法に比較して、例えば、２つのゾーンや２つの層（記録層）でＬＰＰの極性が異なる場合に、この方向（極性）を検出することによって現在のディスク上の位置情報が短時間で得られるという利点を有する。
【００４２】
つまり、ここではタイプ（ｔｙｐｅ）１ではトラック番号１、トラック番号２のそれぞれのトラックでは下側に、トラック番号５からトラック番号９のそれぞれのトラックでは上側に、タイプ（ｔｙｐｅ）２ではトラック番号１、トラック番号２のそれぞれのトラックでは上側に、トラック番号５からトラック番号９のそれぞれのトラックでは下側に正規なＬＰＰ信号がでる。
【００４３】
ところで、記録または再生を行う場合はタイプ（ｔｙｐｅ）１またはタイプ（ｔｙｐｅ）２を判定する必要がある。タイプ（ｔｙｐｅ）１またはタイプ（ｔｙｐｅ）２の検出方法としては、ディスクを挿入し立ち上げ処理をした時点で、上述したリードイン情報を持つｃｏｎｔｒｏｌ  ｄａｔａ  ｚｏｎｅを再生し、この領域にタイプ（ｔｙｐｅ）１またはタイプ（ｔｙｐｅ）２が記録されていればこの値で判定する。これは、記録装置または再生装置でも同様な方法で読み出すことが出来る。また、本実施例のもう一つの例ではｂｏｕｎｄａｒｙ  ｆｌａｇ  ｚｏｎｅ１及びｂｏｕｎｄａｒｙ  ｆｌａｇ  ｚｏｎｅ２にＬＰＰとしてタイプ（ｔｙｐｅ）１またはタイプ（ｔｙｐｅ）２に関する情報が記録されているので、記録時にこの情報を読み出すことによってタイプ（ｔｙｐｅ）１とタイプ（ｔｙｐｅ）２とを判定する事ができる。この方法は記録装置にて記録を行う場合に適用出来る。このタイプの記録は、記録していないディスクの状態で検出が可能であればそれ以外の方法であってもかまわない。
【００４４】
さて、タイプ（ｔｙｐｅ）１をトラック番号１のトラックから順に記録する場合（図５の左側に示すＷｒｉｔｅ  Ｍｏｄｅ）、トラック番号１、トラック番号２、トラック番号８、トラック番号９それぞれのトラックは記録すべきトラックであり、前記のようにトラックの両側にはウオブルしている周波数信号があり、この周波数信号を検出してディスクを回転する速度信号を帰還して、ディスクを線速度一定の制御を行うと共に記録クロック信号を生成する。次に、予めＬＰＰの方向が決まっているからランドに記録されているＬＰＰを検出回路の方向をあわせて検出し、アドレス信号を生成し、この検出したタイミング信号に基づいて、このトラックの所定のリンキングタイミングで記録（図５の左側に示すＷｒｉｔｅ  Ｍｏｄｅにおいてｒｅｃｏｒｄｉｎｇ、Ｉｎｉｔｉａｌ  ｚｏｎｅ〜Ｌｉｎｋｉｎｇ  ｌｏｓｓ  ａｒｅａ）を開始する。そして、トラック番号３のトラックに相当するアドレスになるリンキングタイミングで記録を中止し再生状態（図５の左側に示すＷｒｉｔｅ  Ｍｏｄｅにおいてｒｅａｄｉｎｇ、Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ））にする。
【００４５】
トラック番号３のトラックは記録領域が再生可能なピットで構成され、ウオブル信号とＬＰＰ信号とがないが、再生可能なピットからアドレスを検出して、アドレスに基づいて再生動作（図５の左側に示すＷｒｉｔｅ  Ｍｏｄｅにおいてｒｅａｄｉｎｇ、Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ））をトラック番号４のトラックまでを行う。
次にトラック番号５、トラック番号６、トラック番号７のそれぞれのトラックはピットの信号が再生出来ない信号であるが、この領域にはウオブル信号とＬＰＰ信号があるので、このトラックを再生中にウオブル信号とＬＰＰ検出回路の方向を切換えてＬＰＰアドレスを再生し、記録クロックと記録タイミングとを生成し（図５の左側に示すＷｒｉｔｅ  Ｍｏｄｅらおいてｒｅａｄｉｎｇ  ｇｅｎ  ｗｃｌｋ、Ｕｎｒｅａｄａｂｌｅ  ｅｍｂｏｓｓ  ｗｉｔｈ  ＬＰＰ）、トラック番号８以降のトラック番号のトラックで同様にリンキングタイミングで記録を開始し、以降の記録処理（図５の左側に示すＷｒｉｔｅ  Ｍｏｄｅにおいてｒｅｃｏｒｄｉｎｇ、ｂｕｆｆｅｒ  ｚｏｎｅ２〜Ｄａｔａ  ａｒｅａ）を行う。
【００４６】
ここで、タイプ（ｔｙｐｅ）１ではトラックの両サイドはどのトラックも対称でありトラック番号２とトラック番号３、及びトラック番号４とトラック番号５、及びトラック番号７とトラック番号８の境界のディファレンシャルプッシュプルによるトラッキングエラー信号は振幅の差がある程度で連続的に得ることができる。このように、ピット領域の境界を連続的に記録することが出来るので、再生時にＲＦ信号を連続的に得ることができる。再生時の処理（図５の左側に示すＲｅａｄ  Ｍｏｄｅ）は、トラッキングエラーを位相差法（ＤＰＤ）（尚ディファレンシャルプッシュプルでも良い）として、トラック番号１からトラック番号９までのトラックを順に再生（図５の左側に示すＲｅａｄ  Ｍｏｄｅにおいてｒｅａｄｉｎｇ、Ｉｎｉｔｉａｌ  ｚｏｎｅ〜Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ））する。そのとき、トラック番号５、トラック番号６、トラック番号７のそれぞれのトラックは信号が再生できないので読み飛ばして（図５の左側に示すＲｅａｄ  Ｍｏｄｅにおいてｓｅｅｋ、Ｕｎｒｅａｄａｂｌｅ  ｅｍｂｏｓｓ  ｗｉｔｈ  ＬＰＰ〜ｂｕｆｆｅｒ  ｚｏｎｅ  ２）、その後トラック番号８以降のトラック番号のトラックを連続的に再生する。（図５の左側に示すＲｅａｄ  Ｍｏｄｅにおいてｒｅａｄｉｎｇ、Ｄａｔａ  ａｒｅａ）
【００４７】
次に、タイプ２（ｔｙｐｅ）をトラック番号１のトラックから順に記録する場合、トラック番号１、トラック番号８、トラック番号９のそれぞれのトラックは記録すべきトラックである。中間領域であるトラック番号２のトラックがタイプ（ｔｙｐｅ）１では記録可能トラックであるのに対して、タイプ（ｔｙｐｅ）２ではピットのトラックである理由は、トラック番号２のトラックでは、トラックの両サイドのランドの深さが異なり、記録するために必要なウオブル信号とＬＰＰ信号とが記録されていても前のトラックのような信号振幅や信号のオフセットレベルでは、信号が得ることが出来ず記録クロックやタイミング信号が正確に得ることが出来ないためである。
【００４８】
同様にタイプ（ｔｙｐｅ）２のディスクにおいて、中間領域であるトラック番号５のトラックも、トラックの両サイドのランドの深さが異なり、記録するために必要なウオブル信号とＬＰＰ信号が記録してあっても前のトラックのような信号振幅や信号のオフセットレベルでは、信号が得ることが出来ず記録クロックやタイミング信号が正確に得ることが出来ないので、記録クロックやタイミング信号が正確に得るのは、トラック番号６以降のトラック番号のトラックで行う。
【００４９】
順に記録処理（図５の右側に示すＷｒｉｔｅ  Ｍｏｄｅ）を説明する。トラック番号１のトラックでは、前記のようにトラックの両側にはウオブルしている周波数信号があり、この周波数信号を検出してディスクを回転する速度信号を帰還して、ディスクを線速度一定の制御を行うと共に記録クロック信号を生成する。次に、ランドに記録されている方向を設定しＬＰＰを検出し、アドレス信号を生成し、この検出したタイミング信号に基づいて、このトラックの所定のリンキングタイミングで記録（図５の右側に示すＷｒｉｔｅ  Ｍｏｄｅにおけるｒｅｃｏｒｄｉｎｇ、ｉｎｉｔｉａｌ  ｚｏｎｅ  ｂｏｕｎｄａｒｙ  ｆｌａｇ  ｚｏｎｅ  １）を開始する。
【００５０】
そして、トラック番号２のトラックに相当するアドレスになるリンキングタイミングで記録を中止し再生状態にする。トラック番号２のトラックは記録領域が再生出来ないまたは再生可能なピットで構成されているため読み飛ばす（図５の右側に示すＷｒｉｔｅ  Ｍｏｄｅにおけるｒｅｃｏｒｄｉｎｇの波線部分、ｂｏｕｎｄａｒｙ  ｆｌａｇ  ｚｏｎｅ  ２）。
【００５１】
トラック番号３のトラックは記録領域が再生可能なピットで構成され、ウオブル信号とＬＰＰ信号がないが、再生可能なピットからアドレスを検出して、アドレスに基づいてトラック番号４のトラックまで再生を行う（図５の右側に示すＷｒｉｔｅ  Ｍｏｄｅにおけるｒｅａｄｉｎｇ、Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）〜ｂｏｕｎｄａｒｙ  ｆｌａｇ  ｚｏｎｅ  ２）。
【００５２】
次にトラック番号５のトラックはピットの信号が再生出来ないし、ウオブル信号とＬＰＰ信号も正確には再生出来ない可能性があるトラックなので読み飛ばす。次にトラック番号５、トラック番号６、トラック番号７のトラックはピットの信号が再生出来ないトラックであるが、この領域にはウオブル信号とＬＰＰ信号があるので、このトラックを再生中にウオブル信号と方向を切換えてＬＰＰアドレスを再生し、記録クロックと記録タイミングとを生成し（図５の右側に示すＷｒｉｔｅ  Ｍｏｄｅにおけるｒｅａｄｉｎｇ  ｇｅｎ  ｗｃｌｋ、Ｕｎｒｅａｄａｂｌｅ  ｅｍｂｏｓｓ  ｗｉｔｈ  ＬＰＰ）、トラック番号８以降のトラック番号のトラックで同様にリンキングタイミングで記録を開始し以降の記録処理を行う（図５の右側に示すＷｒｉｔｅ  Ｍｏｄｅにおけるｒｅｃｏｒｄｉｎｇ、ｂｕｆｆｅｒ  ｚｏｎｅ  ２〜Ｄａｔａ  ａｒｅａ）。
【００５３】
ここで、タイプ（ｔｙｐｅ）２ではトラックの両サイドが中間領域であるトラック番号２とトラック番号５とのそれぞれのトラックも非対称でありこの境界のトラックでは、プッシュプル方式のトラッキングエラー信号は振幅の差やオフセットを生じてしまい正確に記録または再生が出来ないが、ディファレンシャルプッシュプル方式によるトラッキングエラー信号は振幅の差がある程度の許容できる範囲で連続的に得ることができる。このよう領域を配置すればピット領域の境界を連続的に記録することが出来るので、再生時にＲＦ信号を連続的に得ることが出来、再生時の処理は、トラッキングエラーを位相差法（ＤＰＤ）（尚ディファレンシャルプッシュプルでも良い）として、トラック番号１からトラック番号９までのトラックを順に再生する。そのとき、タイプ２ではトラック番号２、トラック番号５、トラック番号６、トラック番号７のそれぞれのトラックは信号が再生できないので読み飛ばして（図５の右側に示すＲｅａｄ  Ｍｏｄｅにおけるｓｅｅｋ、Ｉｎｉｔｉａｌ  ｚｏｎｅ〜ｂｏｕｎｄａｒｙ  ｅｍｂｏｓｓ  ｚｏｎｅ  １、ｂｏｕｎｄａｒｙ  ｆｌａｇ  ｚｏｎｅ  ２〜ｂｕｆｆｅｒ  ｚｏｎｅ  ２）、トラック番号３、トラック番号４、およびトラック番号８以降のトラック番号のそれぞれのトラックを連続的に再生する（図５の右側に示すＲｅａｄ  Ｍｏｄｅにおけるすｒｅａｄｉｎｇ、Ｃｏｎｔｒｏｌ  ｄａｔａ  ｚｏｎｅ（Ｒｅａｄａｂｌｅ  ｅｍｂｏｓｓ  ｗｉｔｈｏｕｔ  ＬＰＰ）〜ｂｏｕｎｄａｒｙ  ｆｌａｇ  ｚｏｎｅ  ２、Ｄａｔａ  ａｒｅａ）。
【００５４】
また、仮に、タイプ（ｔｙｐｅ）１とタイプ（ｔｙｐｅ）２の２種類のタイプ（ｔｙｐｅ）を正しく検出できない場合、例えば、タイプ（ｔｙｐｅ）２をタイプ（ｔｙｐｅ）１としてしまった場合、またはタイプ（ｔｙｐｅ）２をタイプ（ｔｙｐｅ）１と検出した場合も、本案は有効である。つまりその場合、記録の場合に、トラック番号２のトラックに記録装置は行おうとするが、トラック番号２のトラックでは、正確にＬＰＰ及びウオブルが検出出来ないことになるので記録は途中で中止される。仮に、トラック番号２のトラックをすべて記録してしまった場合も、この再生時には、この領域からトラッキングエラー信号を得ることが出来るので、トラック番号２のトラックからの再生信号は読み出せないが問題なく連続的な再生が可能である。トラック番号５のトラックもＬＰＰ信号が読み出せない可能性はあるが、次のトラックからは読み出されるので問題なく記録再生を行うことが出来る。
【００５５】
このような構成にすることによって、境界領域のＬＰＰ信号がより確実に再生する事ができ、タイプ１とタイプ２の２つの異なる製造方法が許容でき、かつ記録及び再生時にはトラッキングエラー信号が連続的に得ることが出来るので、記録及び再生を中断することなく連続的に行うことが出来、従来発売しているＤＶＤ−ＲＯＭやＤＶＤビデオ再生装置等に影響することなく、ＤＶＤ−ＲＷの付加価値を高めるものである。
【００５６】
また、１つの記録平面の中で、ＬＰＰ等のアドレス信号の位置を逆にして領域を分割した場合は、その境界のトラックの信号をうまく記録できない場合があるので、境界のトラックはプリピットとして予めプリピットデータを埋め込んでおく。
【００５７】
これにより再生時に欠落のない連続した再生信号を得ることができる。このとき、ウォブルの周波数信号はアドレスが逆でも前と同様に連続して配置することが可能であり、ディスクの連続信号および記録のためのクロック信号は連続して得ることができる。
【００５８】
次に、図２を用いて第２実施例の説明をする。ここで上記の説明と重複する部分の説明は省略する。図２はＤＶＤ等で一般的になっている片側から読み出し可能な媒体の記録領域（記録層）が２層になっている場合である。記録層が３層以上であっても良いことは勿論である。図２（ａ）は、ＤＶＤ等で一般的に呼ばれている２層のパラレルディスクであり、２つの層ともアドレス、螺旋溝の方向も同じである。この場合、グルーブに対してＬＰＰの方向は２つの層とも右側である。つまり、トラック番号１のトラックを内周側としトラック番号９のトラックの方向に螺旋溝が切ってあるとすると、進行方向の外側にＬＰＰがあることになる。
【００５９】
図２（ｂ）は、ＤＶＤ等で一般的に呼ばれている２層のオポジットディスクの第一の例であり、２つの層でアドレスが逆方向に刻まれていて、螺旋溝の方向も１層が内周から外周方向、２層が外周から内周であり、この場合、グルーブに対してＬＰＰの方向は１層では外側に、２層では内側になっている。図２（ａ）のディスクと比較すると記録層間（図２（ｂ）において上の記録層を情報記録可能領域の第１の層領域と、下の記録層を情報記録可能領域の第１の層領域以外の層領域（あるいは第２の層領域）との間）のそれぞれの層領域において、周波数信号・アドレス信号を記録する案内溝の側が切換えられている。つまり、１層、２層ともにトラックの進行方向の外側にＬＰＰがあることになる。このような構成にすることによって、ＬＰＰの極性が異なるので、どの層にフォーカス制御したか分からなくなるような場合に、ＬＰＰのアドレスを検出する前に、現在どの層にいるかを判断する事ができる。
【００６０】
図２（ｃ）は、ＤＶＤ等で一般的に呼ばれている２層のオポジットディスクの第２の例であり、２つの層でアドレスが逆方向に刻まれていて、螺旋溝の方向も１層が内周から外周方向、２層が外周から内周であり、グルーブに対してＬＰＰの方向は１層ではトラックの進行方向の外側に、２層でも外側になっている。つまり、１層では進行方向の外側にＬＰＰがあり、２層では進行方向の内側にＬＰＰがあることになる。図２（ａ）のディスクと比較すると記録層間（図２（ｃ）において上の記録層を情報記録可能領域の第１の層領域と、下の記録層を情報記録可能領域の第１の層領域以外の層領域（あるいは第２の層領域）との間）のそれぞれの層領域において、トラックの進行方向に対して周波数信号・アドレス信号を記録する案内溝の側が切換えられている。このような構成にすることによって、進行方向に対してＬＰＰの存在する方向が異なるが、ＬＰＰの信号を再生する時に、ＬＰＰの極性を切り替えなくて済むというメリットと、媒体をカッティングする際にも極性の切り替えが不要であるというメリットがある。層の数が多い場合は、偶数と奇数層でＬＰＰの方向を切換える等の方法もある。
【００６１】
次に、第３実施例として、図３（ａ）にゾーンによって情報記録可能領域が分割している場合に、ゾーンによって、前記同様にＬＰＰの方向を変更する場合を示す。図３（ａ）は内側にＬＰＰがあるトラック番号１、トラック番号２、トラック番号３のそれぞれのトラックと、外側にＬＰＰがあるトラック番号４、トラック番号５、トラック番号６のそれぞれのトラックの各トラックとで１つのゾーン（例えば、情報記録可能領域の第１の領域）を形成し、トラック番号７のトラックが境界領域、トラック番号１からトラック番号７のトラックの周期を、トラック番号８以降のトラック番号のトラックで繰り返す。これは、ゾーンとしてではなく、単に情報記録可能領域として、分割する場合も同じであるが、１つの媒体において、性質の異なる情報を記録しようとした場合等で、このようにアドレスを形成しておけば、アドレスによってＬＰＰの検出の極性を切換える必要があるために間違えて記録してしまうようなことが無く、フェイルセイフが可能である。
【００６２】
次に、図３（ｂ）に著作権保護に関する情報によって、前記同様に情報記録可能領域のＬＰＰの方向を変更する場合を示す。図３（ｂ）は内側にＬＰＰがあるトラック番号１、トラック番号２、トラック番号３、トラック番号４のそれぞれのトラック（例えば、情報記録可能領域の第１の領域）と、トラックの進行方向の外側にＬＰＰがあるトラック番号５以降のトラック番号のトラック（例えば、情報記録可能領域の第１の領域以外の領域である第２の領域）から形成されている。
【００６３】
この位置に対してＬＰＰの方向をどちらにするかは、著作権保護に関する情報によって決定される。例えばオーサリング用途などで著作権によって保護されているコンテンツを記録しようとした場合に、著作権保護に関する情報が得られれば、この情報を基にＬＰＰの位置に対する方向信号が得られ、この方向信号を切換えてアドレスを検出して記録する事が可能となる。一方、著作権保護に関する情報が得られなければ、ＬＰＰの位置に対する方向が分からないので、アドレスを検出することが出来ずに正確に記録する事が出来ない。例えば著作権保護に関する情報を得る方法としては、記録装置にこの媒体を挿入した段階で、この媒体の固有のＩＤを得る。このＩＤを記録したいコンテンツの配信先に転送する。その結果、コンテンツを配信してもよいという許諾が与えられた場合には、予めＩＤに対応するアドレス切り替え情報と共にコンテンツ情報を入手する、このアドレス切り替え情報に基づいて、正確なアドレスを検出しながらコンテンツを記録する。この方法により、記録装置としては、アドレスの配置情報を知ることができず、外部から許可が無い限りアドレスさえ検出できないので確度の高いコピープロテクションが可能である。このように外部から著作権保護に関する情報を入手しなければ、媒体の情報は知り得るが、記録に関するアドレスやタイミング情報等の物理情報さえ知り得ないように構成しておけば、確度の高いコピープロテクションが可能である。
【００６４】
なお、上記実施例は、記録領域であるグルーブの片側のランドにＬＰＰのアドレスを形成する場合についてのみの実施例について説明したが、本案は記録領域の周波数信号として用いられるウオブル信号が片側に存在する場合や、周波数信号やアドレス信号がグルーブの片側や、ランド・グルーブ記録のような場合に、そのどちらかに片寄って存在する構造で有ればすべてこの範囲であることは勿論である。また、本発明は本実施例における製造方法や訂正フォーマットやディスク構造等にも限定されるものではない。
【符号の説明】
【００６５】
ＬＰＰ  ランドプリピット
１〜９  トラック番号
【図１】
0004618572.tif 000002
【図２】
0004618572.tif 000003
【図３】
0004618572.tif 000004
【図４】
0004618572.tif 000005
【図５】
0004618572.tif 000006
【図６】
0004618572.tif 000007
【図７】
0004618572.tif 000008